【事件の表示】
　特許第５７４３０４１号発明「点灯装置および照明器具」の特許異議申立事件について、次のとおり決定する。
【結　論】
　特許第５７４３０４１号の請求項１ないし５に係る特許を維持する。
【理　由】
１．手続の経緯
　特許第５７４３０４１号の請求項１〜５に係る特許（以下、「本件特許」という。）についての出願は、平成２６年５月１２日に出願した特願２０１４−９８６９４号の一部を平成２７年１月２１日に新たな出願としたものであって、平成２７年５月１５日にその特許権の設定登録がされ、その後、その特許について、特許異議申立人　西林博（以下、「申立人」という。）により特許異議の申立てがされ、当審において平成２８年４月２０日付けで取消理由を通知し、平成２８年６月２７日付けで意見書が提出されたものである。
２．本件発明
　本件特許の請求項１〜５に係る発明（以下、「本件発明１〜５」という。）は、次のとおりである。
「【請求項１】
　交流電圧を直流電圧に変換する整流回路と、
　前記整流回路の直流出力端子間に接続され、負荷出力端子間に出力平滑コンデンサを有し、光源に直流電流を供給する変換回路と、
　前記変換回路を駆動制御する制御回路と、
　を備え、
　前記制御回路は、制御電源回路から前記制御回路の駆動用電力の供給を受けて動作し、
　前記光源に直流電流が供給される間、前記制御電源回路は、少なくとも前記交流電圧のゼロクロス付近において、前記出力平滑コンデンサから電力の供給を受けて、前記制御回路の駆動用電力を生成し、
　前記整流回路の直流出力から前記制御電源回路へと至る電力経路と、前記出力平滑コンデンサから前記制御電源回路へと至る電力経路と、のうち何れかの経路を選択して前記制御電源回路に電力供給を行う選択回路をさらに備える点灯装置。
【請求項２】
　前記選択回路は、第１ダイオードと第２ダイオードのカソード共通接続からなるダイオードＯＲ回路から構成され、前記第１ダイオードのアノードが前記整流回路の直流出力に接続され、前記１ダイオードのカソードが前記制御電源回路の入力に接続され、前記第２ダイオードのアノードが前記出力平滑コンデンサに接続され、前記第２ダイオードのカソードが前記制御電源回路の入力に接続される請求項１に記載の点灯装置。
【請求項３】
　前記変換回路が、ＳＥＰＩＣ回路である請求項１または２に記載の点灯装置。
【請求項４】
　前記変換回路が、フライバックコンバータ回路である請求項１または２に記載の点灯装置。
【請求項５】
　発光素子を備える光源と、
　前記光源を点灯させる点灯装置と、
　を備え、
　前記点灯装置は、
　交流電圧を直流電圧に変換する整流回路と、
　前記整流回路の直流出力端子間に接続され、負荷出力端子間に出力平滑コンデンサを有し、光源に直流電流を供給する変換回路と、
　前記変換回路を駆動制御する制御回路と、
　を備え、
　前記制御回路は、制御電源回路から前記制御回路の駆動用電力の供給を受けて動作し、
　前記光源に直流電流が供給される間、前記制御電源回路は、少なくとも前記交流電圧のゼロクロス付近において、前記出力平滑コンデンサから電力の供給を受けて、前記制御回路の駆動用電力を生成し、
　前記整流回路の直流出力から前記制御電源回路へと至る電力経路と、前記出力平滑コンデンサから前記制御電源回路へと至る電力経路と、のうち何れかの経路を選択して前記制御電源回路に電力供給を行う選択回路をさらに備える照明器具。」
３．取消理由の概要
　当審において、本件発明１〜５に対して通知した取消理由の要旨は次のとおりである。
　なお、取消理由で引用した刊行物１〜７は、それぞれ、平成２７年１２月２９日付けの申立人による特許異議申立書の甲第１〜７号証であり、後記４．で示す。
取消理由１−１
　本件発明１、２、５は、刊行物１に記載された発明であり、特許法第２９条第１項第３号に該当し、特許を受けることができない。
取消理由１−２
　本件発明３は、刊行物１に記載された発明と刊行物７に記載の事項から当業者が容易に発明をすることができたものであり、特許法第２９条第２項の規定により特許を受けることができない。
取消理由１−３
　本件発明４は、刊行物１に記載された発明と刊行物１に記載の事項から当業者が容易に発明をすることができたものであり、特許法第２９条第２項の規定により特許を受けることができない。
取消理由２
　本件発明１、２、５は、刊行物２に記載された発明と刊行物５、６に記載の事項から当業者が容易に発明をすることができたものであり、特許法第２９条第２項の規定により特許を受けることができない。
取消理由３
　本件発明１、２、４、５は、刊行物３に記載された発明と刊行物５、６に記載の事項から当業者が容易に発明をすることができたものであり、特許法第２９条第２項の規定により特許を受けることができない。
取消理由４
　本件発明１、２、５は、刊行物４に記載された発明と刊行物５、６に記載の事項から当業者が容易に発明をすることができたものであり、特許法第２９条第２項の規定により特許を受けることができない。
４．刊行物
　取消理由で引用した刊行物は次のとおりである。
　刊行物１：特開２０１２−１０５７４号公報
　刊行物２：米国特許出願公開第２００７／００２４２１３号明細書
　刊行物３：米国特許出願公開第２０１３／００３３１７６号明細書
　刊行物４：米国特許出願公開第２０１３／００８２６１９号明細書
　刊行物５：特開平６−１４０１７６号公報
　刊行物６：特開平６−１４０１８１号公報
　刊行物７：特表２０１２−５３３１６４号公報
（１）刊行物１に記載された事項及び引用発明１
　刊行物１には、図面とともに次の事項が記載されている。（なお、下線は当審で付したものである。以下同様。）
１ａ
「【０００４】
　近年、様々な分野において省エネルギー化が加速している。その一つとして、例えば、照明分野においては、白熱電球に替わって発光効率の良い発光ダイオード（ＬＥＤ：Light Emitting Diode）を用いたＬＥＤ電球が急速に普及してきている。ＬＥＤ電球は、例えばＡＣ−ＤＣコンバータ等によって生成した電源を発光ダイオードに印加することで駆動される。・・・」
１ｂ
「【００２６】
　（実施の形態１）
　電源装置［１］の全体回路構成
　図１は、本発明の実施の形態１による電源装置において、その回路構成の一例を示す概略図である。図１に示す
電源装置は、整流回路ＤＢ１と、力率改善（ＰＦＣ）回路（半導体装置）ＰＩＣ１と、トランジスタ（スイッチ素子）Ｑ１と、
インダクタＬ１と、ダイオードＤ１と、出力容量Ｃｏｕｔと、電源生成回路ＶＣＣＧＥＮを備えている。Ｃｏｕｔは、正極出力ノードＶｏｕｔ（＋）と負極出力ノードＶｏｕｔ（−）の間に接続され、このＶｏｕｔ（＋）とＶｏｕｔ（−）の間に得られる出力電圧Ｖｏｕｔを負荷回路ＬＯＤの電源電圧として供給する。
ＬＯＤの一例として、複数の発光ダイオードＬＥＤ［１］〜ＬＥＤ［ｎ］が示され、ＬＥＤ［１］〜ＬＥＤ［ｎ］のそれぞれは、Ｖｏｕｔ（＋）側をアノード、Ｖｏｕｔ（−）側とカソードとして順に直列接続されている。
【００２７】
　
ＤＢ１は、
商用電源（ＡＣ）（交流電圧Ｖａｃ、交流電流Ｉａｃ）を全波整流し、
【００２８】
　
ＰＦＣ回路（半導体装置）ＰＩＣ１は、接地電源電圧ＧＮＤ１と電源電圧ＶＣＣによって動作し、
デューティ制御信号ＰＷＭを出力する。
電源投入時には整流出力ノードＮｄｂ１の電力をダイオードＤｖｃｃ１および抵抗Ｒｖｃｃ１を介して容量Ｃｖｃｃに蓄えることでＶＣＣを生成する。一方、電源安定時には正極出力ノードＶｏｕｔ（＋）の電力をダイオードＤｖｃｃ２および抵抗Ｒｖｃｃ２を介してＣｖｃｃに蓄えることでＶＣＣを生成する。
１ｃ
「【００３２】
　電源装置［１］の全体回路動作
  図２は、図１の概略的な動作例を示す波形図である。図３は、図１における２乗回路ＳＱの動作概念を表す説明図である。図２に示すように、まず、
デューティ制御信号ＰＷＭが‘Ｈ’レベル（オンレベル）の場合、トランジスタＱ１がオンに駆動され、
【００３３】
　一方、このＶｃｓが２乗回路ＳＱの出力信号Ｖｓの電圧値に到達すると、コンパレータ回路ＣＭＰｐからリセット信号ＲＴが生成され、
ＰＷＭが‘Ｌ’レベル（オフレベル）に遷移し、Ｑ１がオフに駆動される。
１ｄ
「【０１３３】
　電源装置［９］の全体回路構成
　図３７は、本発明の実施の形態９による電源装置において、その回路構成の一例を示す概略図である。図３７に示す電源装置は、図３５の電源装置と比較して、ＰＦＣ回路の内部構成が異なり、それ以外は同様の構成となっている。図３７において、ＰＦＣ回路ＰＩＣ１１は、ランプ回路ＲＭＰ１と、コンパレータ回路ＣＭＰｐ，ＣＭＰｚと、セットリセットラッチ回路ＳＲＬＴと、ドライバ回路ＤＲＶと、エラーアンプ回路ＥＡを備えている。図３７のＰＦＣ回路ＰＩＣ１１は、図１のＰＦＣ回路ＰＩＣ１と異なり、２乗回路ＳＱを搭載せず、電流検出用の抵抗Ｒｃｓからの検出電圧Ｖｃｓとランプ回路ＲＭＰ１による充電電圧を用いてオン時間を制御する臨界式コンバータとなっている。」
１ｅ
　【図３７】から、整流回路ＤＢ１の出力端子間に接続されたトランジスタＱ１、ダイオードＤ１、インダクタＬ１、出力容量Ｃｏｕｔ等からなる回路は「変換回路」であること、その変換回路の出力が正極出力ノードＶｏｕｔ（＋）と負極出力ノードＶｏｕｔ（−）であることを看取しうる。
　以上の記載事項及び【図３７】の記載からみて、刊行物１には次の発明（以下、「引用発明１」という。）が記載されていると認められる。
〔引用発明１〕
「交流電圧を全波整流する整流回路ＤＢ１と、
　整流回路ＤＢ１の出力端子間に接続されたトランジスタＱ１、ダイオードＤ１、インダクタＬ１、出力容量Ｃｏｕｔ等からなる変換回路であり、その出力である正極出力ノードＶｏｕｔ（＋）と負極出力ノードＶｏｕｔ（−）の間に出力容量Ｃｏｕｔが接続されるとともに、このＶｏｕｔ（＋）とＶｏｕｔ（−）の間に得られる出力電圧Ｖｏｕｔを、複数の発光ダイオードＬＥＤ［１］〜ＬＥＤ［ｎ］が直列接続されている負荷回路ＬＯＤの電源電圧として供給する変換回路と、
　変換回路のトランジスタＱ１にデューティ制御信号ＰＷＭを出力するＰＦＣ回路ＰＩＣ１１と、を備え、
　ＰＦＣ回路ＰＩＣ１１は、容量Ｃｖｃｃからの電源電圧ＶＣＣによって動作し、
　電源投入時には整流回路ＤＢ１の整流出力ノードＮｄｂ１の電力をダイオードＤｖｃｃ１および抵抗Ｒｖｃｃ１を介して容量Ｃｖｃｃに蓄えることで電源電圧ＶＣＣを生成し、電源安定時には正極出力ノードＶｏｕｔ（＋）の電力をダイオードＤｖｃｃ２および抵抗Ｒｖｃｃ２を介して容量Ｃｖｃｃに蓄えることで電源電圧ＶＣＣを生成する電源生成回路ＶＣＣＧＥＮを備える
電源装置。」
（２）刊行物２に記載された事項及び引用発明２
　刊行物２には、図面とともに次の事項が記載されている。
　なお、刊行物２の翻訳文は、申立人が特許異議申立書に添付した甲第２号証の抄訳文を参考に当審で付したものである。
２ａ（段落［００７５］〜［００７６］）
（翻訳文）
「［００７５］
　図１０は、本発明の教示に係る例示的な第４の実施の形態のコントローラ５００を備える例示的な
電流レギュレータ／コンバータ４５０
電力スイッチ１０２とコントローラ５００との間に接続されたゲート駆動抵抗器１３６と、
整流器１１１の陽極ポートとＶｃｃキャパシタ１３４との間に接続されたＶｃｃプレチャージ抵抗器１３５と、
［００７６］
　
入力ＡＣ電圧１０１が印加されると、Ｖｃｃキャパシタ１３４は、抵抗器１３５及びインダクタ１０３を介して充電される。
コントラーラ５００は、オンになると、出力１０５（キャパシタ１０５）に蓄積される電圧で、電力切替トランジスタ１０２の駆動を開始する。この電圧が十分に高くなると、整流器ダイオード１３９を介してＶｃｃを供給することになる。
２ｂ
　ＦＩＧ．１０から、整流器１１１は、入力ＡＣ電圧１０１が入力されるダイオードブリッジであることを看取しうる。
２ｃ
　ＦＩＧ．１０から、整流器１１１の出力端子間に接続された電力スイッチ１０２、インダクタ１０３、ダイオード１０７、キャパシタ１０５などからなる回路が、ＬＥＤ１０６に直流電流を供給する「変換回路」であることを看取しうる。
　上記記載事項２ｂから、整流器１１１は、入力ＡＣ電圧を直流電圧に変換するものといえる。
　上記記載事項２ａの段落［００７５］の「電力スイッチ１０２とコントローラ５００との間に接続されたゲート駆動抵抗器１３６と」との記載からみて、コントローラ５００は電力スイッチ１０２を駆動制御するといえる。
　上記記載事項２ａの段落［００７６］の「整流器ダイオード１３９を介してＶｃｃを供給する」の「Ｖｃｃ」は、コントローラ５００の「電源電圧」と認められる。
　以上の記載事項及びＦＩＧ．１０の記載からみて、刊行物２には次の発明（以下、「引用発明２」という。）が記載されていると認められる。
〔引用発明２〕
「入力ＡＣ電圧１０１を直流電圧に変換する整流器１１１と、
　整流器１１１の出力端子間に接続され、電力スイッチ１０２、インダクタ１０３、ダイオード１０７、キャパシタ１０５などからなる変換回路であり、変換回路の出力端子間にキャパシタ１０５が接続され、ＬＥＤ１０６に直流電流を供給する変換回路と、
　変換回路の電力スイッチ１０２を駆動制御するコントローラ５００と、を備え、
　コントローラ５００は、Ｖｃｃキヤパシタ１３４から駆動用電力の供給を受けて動作し、
　入力ＡＣ電圧１０１が印加されると、Ｖｃｃキャパシタ１３４は、整流器１１１の陽極ポートから抵抗器１３５を介して充電され、
　コントラーラ５００がオンになり、キャパシタ１０５に蓄積される電圧が十分に高くなると、キャパシタ１０５から整流器ダイオード１３９を介して電源電圧Ｖｃｃを供給する、
電流レギュレータ／コンバータ４５０。」
（３）刊行物３に記載された事項及び引用発明３
　刊行物３には、図面とともに次の事項が記載されている。
　なお、刊行物３の翻訳文は、申立人が特許異議申立書に添付した甲第３号証の抄訳文を参考に当審で付したものである。
３ａ（段落［００２２］）
（翻訳文）
「［００２２］
　ＦＩＧ．１は、典型的なＬＥＤ光源の回路１００を示す図である。・・・」
３ｂ
　上記３ａの「ＦＩＧ．１」は、枝番を付した「ＦＩＧ．１−Ａ〜１−Ｃ」であると認められ、当該図面から次の事項が看て取れる。
ア　整流器ＢＲ１はダイオードブリッジであること。
イ　整流器ＢＲ１の出力端子間に接続されたスイッチング・ＦＥＴＱ１、トランスＴ１、ダイオードＤ３、コンデンサＣ８などからなる回路が、直流電流を供給する「変換回路」であること。
ウ　変換回路のスイッチング・ＦＥＴＱ１のゲートは、制御回路Ｕ１からの信号を受けていること。
エ　制御回路Ｕ１の８番ピンはＶｃｃであり、そこにはコンデンサＣ５が接続されていること。
オ　コンデンサＣ５は、整流器ＢＲ１の出力端子から抵抗Ｒ４を介して充電される経路と、コンデンサＣ８から抵抗Ｒ９、ダイオードＤ４を経由して充電される経路とがあること。
　上記３ｂアの記載事項からみて、整流器ＢＲ１は交流電圧を直流電圧に変換しているといえる。
　上記３ｂエの記載事項からみて、コンデンサＣ５は制御回路Ｕ１の駆動用電力を供給しているといえる。
　以上の記載事項及びＦＩＧ．１の記載からみて、刊行物３には次の発明（以下、「引用発明３」という。）が記載されていると認められる。
「交流電圧を直流電圧に変換する整流器ＢＲ１と、
　整流器ＢＲ１の出力端子間に接続され、スイッチング・ＦＥＴＱ１、トランスＴ１、ダイオードＤ３、コンデンサＣ８などからなる変換回路であり、変換回路の出力端子間にコンデンサＣ８が接続され、ＬＥＤに直流電流を供給する変換回路と、
　変換回路のスイッチング・ＦＥＴＱ１を駆動制御する制御回路Ｕ１を備え、
　制御回路Ｕ１は、コンデンサＣ５から制御回路Ｕ１の駆動用電力の供給を受けて動作し、
　コンデンサＣ５は、整流器ＢＲ１の出力端子から抵抗Ｒ４を介して充電される経路と、コンデンサＣ８から抵抗Ｒ９、ダイオードＤ４を経由して充電される経路とを備えた
回路１００。」
（４）刊行物４に記載された事項及び引用発明４
　刊行物４には、図面とともに次の事項が記載されている。
　なお、刊行物４の翻訳文は、申立人が特許異議申立書に添付した甲第４号証の抄訳文を参考に当審で付したものである。
４ａ（段落［０００４］）
（翻訳文）
「［０００４］
　図１Ａは、従来技術のＬＥＤ駆動回路１００を説明する回路図である。図１に示すように、グラッド電力供給装置１２０は、グラッド電力信号ＰＳを生成するための
グラッド電源１２２と整流器１２４とを備える。
４ｂ（段落［００２０］〜［００２２］）
（翻訳文）
「［００２０］
　図２は、本発明の一の実施の形態に係るＬＥＤ駆動回路２００を示すブロック図である。図２に示すように、ＬＥＤ駆動回路２００はまた、グラッド電力信号ＰＳを受信することによりＬＥＤ１１８に対し、駆動電流Ｉｄｒｉｖｅを生成する。ＬＥＤ駆動回路２００は、グラッド電力検出回路２０２と、電圧変換コントローラ２０４と、フィードバック回路２０６と、電流生成モジュール２０７とを備える。グラッド電力検出回路２０２は、グラッド電力信号ＰＳを受信し、グラッド電力信号ＰＳの電圧に応じてグラッド電力検出信号ＰＤＳを生成する。一の実施の形態において、グラッド電力検出回路２０２は、グラッド電力信号ＰＳのｓｉｎ波形を検出し、グラッド電力検出信号ＰＤＳは、グラッド電力信号ＰＳのｓｉｎ波形を示す。フィードバック回路２０６は、第１フィードバック信号ＦＳ１を生成し、駆動電流Ｉｄｒｉｖｅにしたがって、第２フィードバック信号ＦＳ２を生成する。一の実施の形態において、フィードバック回路２０６は、第１フィードバック信号ＦＳ１と第２フィードバック信号ＦＳ２とをそれぞれ送信するための２つのフィードバック路を有する。第１フィードバック信号ＦＳ１とグラッド電力検出信号ＰＤＳとは、グラッド電力接続信号ＰＣＳを形成するよう接続される。電圧変換コントローラ２０４は、２つの入力端子２１１及び２１２を備える。入力端子２１１は、グラッド電力接続信号ＰＣＳを受信し、入力端子２１２は、フィードバック信号ＦＳ２を受信する。また、
電圧変換コントローラ２０４は、
電流生成モジュール２０７を制御する。
電流生成モジュール２０７はスイッチ２０８とコンダクタ２１０とを備える。
［００２１］
　図３は、図２に示されるブロック図の詳細な回路の一例である。図３に示すように、フィードバック回路２０６は、抵抗器３０６と抵抗器３０８とを備える。抵抗器３０６は、ＬＥＤ１１８の入力端子２１１と出力端子３１０との間に接続される。第１フィードバック信号ＦＳ１は、抵抗器３０６（フィードバック路のひとつ）を経由してグラッド電力接続信号ＰＣＳを形成するために、グラッド電力検出信号ＰＤＳと接続される。フィードバック信号ＦＳ１とグラッド電力検出信号ＰＤＳとの接続比は、抵抗器３０６の値によって定めることができる。抵抗器３０８は、ＬＥＤ１１８の入力端子２１２と出力端子３１０との間に接続される。さらに、フィードバック信号ＦＳ２は、抵抗器３０８（別のフィードバック路）を経由して入力端子２１２へ送信される。本実施の形態において、入力端子２１１は電圧変換コントローラのＤＩＭピンであり、入力端子２１２は電圧変換コントローラのＦＢピンである。通常の電圧変換コントローラにおいて、ＦＢピンは、ローディングからフィードバック電流を受信するために用いられ、フィードバック電流にしたがって駆動電流Ｉｄｒｉｖｅを調整する。ＤＩＭピンは、内部に比較器を備え、この比較器は、グラッド電力信号のｓｉｎ波形を受信することにより駆動電流Ｉｄｒｉｖｅを調整する。
［００２２］
　図４を参照されたい。これは、図２及び図３に示す電圧変換コントローラの一例である。なお、電圧変換コントローラ２０４は、本実施の形態におけるＬＥＤドライバである。図４に示すように、電圧変換コントローラ２０４は、比較器４０１を備え、ＤＩＭピンと、ＦＢピンとはそれぞれ、比較器４０１の２つの端子である。それゆえ、比較器４０１は、フィードバック信号ＦＳ２とグラッド電力接続信号ＰＣＳとを比較して駆動電流Ｉｄｒｉｖｅを調整する。グラッド電力接続信号ＰＣＳはグラッド電力信号ＰＳの波形情報を含むので、駆動電流Ｉｄｒｉｖｅは、グラッド電力の変化に応じて調整される。なお、ＤＩＭピン及びＦＢピンのほか、図３及び図４に示す電圧変換コントローラ２０４は、ＶＢピンやＨＯピンやＶＳピンのような他のピンもさらに有する。また、図３に示すＬＥＤ駆動回路２００及び図４に示す電圧変換コントローラ２０４も、上述の装置以外の装置をも備える。出願人は、それらの装置及びピンを例示目的と捉えており、本発明を限定することを意図していない。当業者であれば、それらの装置に対する動作を容易に理解することができるため、ここでは説明を割愛する。また、上述の回路構造は、ＬＥＤを駆動するために適用されることに限られず、ＬＥＤ以外の対象装置に所望の出力電流を供給するためにも用いることができる。そのような場合、ＬＥＤ駆動回路２００は電流生成装置と考えることができる。」
４ｃ
　ＦＩＧ．３から、「グラッド電源１２２」は「交流電圧」であること、上記記載事項４ｂの段落［００２０］の「コンダクタ２１０」は「インダクタ」であることを看取しうる。
４ｄ
　ＦＩＧ．３から、整流器１２４の出力端子間に接続されたスイッチ２０８、インダクタ２１０、ＬＥＤ１１８に並列に接続されたコンデンサなどからなる回路が、ＬＥＤ１１８に直流電流を供給する「変換回路」であることを看取しうる。
４ｅ
　ＦＩＧ．３から、電圧変換コントローラ２０４のＶＣＣ端子にはコンデンサが接続され、そのコンデンサは、整流器１２４の出力端間に抵抗を介して並列に接続されるとともに、ＬＥＤ１１８の両端間に抵抗とダイオードを介して並列に接続されることを看取しうる。
　上記記載事項４ｂの段落［００２０］の「電圧変換コントローラ２０４は、・・・電流生成モジュール２０７を制御する。・・・電流生成モジュール２０７はスイッチ２０８とコンダクタ２１０とを備える。」との記載、及び、上記記載事項４ｄからみて、電圧変換コントローラ２０４は変換回路を制御しているといえる。
　上記記載事項４ｄの回路構成からみて、ＬＥＤ１１８に並列に接続されたコンデンサは、変換回路の主力端子間に接続されたコンデンサであるといえる。
　上記記載事項４ｅの回路構成からみて、電圧変換コントローラ２０４のＶＣＣ端子に接続されたコンデンサは、整流器１２４の出力端から抵抗を介して充電される経路と、変換回路の出力端子間に接続されたコンデンサから抵抗とダイオードを介して充電される経路とを備えているといえる。
　以上の記載事項及びＦＩＧ．３の記載からみて、刊行物４には次の発明（以下、「引用発明４」という。）が記載されていると認められる。
「交流電圧を直流電圧に変換する整流器１２４と、
　整流器１２４の出力端子間に接続され、スイッチ２０８、インダクタ２１０、コンデンサなどからなる変換回路であり、変換回路の出力端子間にコンデンサが接続され、ＬＥＤ１１８に直流電流を供給する変換回路と、
　変換回路を制御する電圧変換コントローラ２０４と、を備え、
　電圧変換コントローラ２０４は、そのＶＣＣ端子に接続されたコンデンサから駆動用電力の供給を受けて動作し、
　ＶＣＣ端子に接続されたコンデンサは、整流器１２４の出力端から抵抗を介して充電される経路と、変換回路の出力端子間に接続されたコンデンサから抵抗とダイオードを介して充電される経路とを備えた、
回路。」
５．対比・判断
（１）取消理由１−１〜１−３について
　取消理由１−１〜１-３は、引用発明１を主たる引用発明とした取消理由であるので、まとめて検討する。
ア　本件発明１について
　本件発明１と引用発明１とを対比する。
　後者の「交流電圧を全波整流する整流回路ＤＢ１」は、前者の「交流電圧を直流電圧に変換する整流回路」に相当する。
　後者の「出力容量Ｃｏｕｔ」、「複数の発光ダイオードＬＥＤ［１］〜ＬＥＤ［ｎ］が直列接続されている負荷回路ＬＯＤ」は、前者の「出力平滑コンデンサ」、「光源」にそれぞれ相当し、後者の「整流回路ＤＢ１の出力端子間に接続されたトランジスタＱ１、ダイオードＤ１、インダクタＬ１、出力容量Ｃｏｕｔ等からなる変換回路であり、その出力である正極出力ノードＶｏｕｔ（＋）と負極出力ノードＶｏｕｔ（−）の間に出力容量Ｃｏｕｔが接続されるとともに、このＶｏｕｔ（＋）とＶｏｕｔ（−）の間に得られる出力電圧Ｖｏｕｔを、複数の発光ダイオードＬＥＤ［１］〜ＬＥＤ［ｎ］が直列接続されている負荷回路ＬＯＤの電源電圧として供給する変換回路」は、前者の「整流回路の直流出力端子間に接続され、負荷出力端子間に出力平滑コンデンサを有し、光源に直流電流を供給する変換回路」に相当する。
　後者の「変換回路のトランジスタＱ１にデューティ制御信号ＰＷＭを出力するＰＦＣ回路ＰＩＣ１１」は、トランジスタＱ１を制御することにより変換回路を制御しているので、前者の「変換回路を駆動制御する制御回路」に相当する。
　後者の「容量Ｃｖｃｃ」とその「電源電圧ＶＣＣ」とは、前者の「制御電源回路」と「制御回路の駆動用電力」とに相当し、後者の「ＰＦＣ回路ＰＩＣ１は、容量Ｃｖｃｃからの電源電圧ＶＣＣによって動作」することは、前者の「制御回路は、制御電源回路から制御回路の駆動用電力の供給を受けて動作」することに相当する。
　後者の「電源装置」は、複数の発光ダイオードＬＥＤ［１］〜ＬＥＤ［ｎ］を点灯させるためのものであるので、前者の「点灯装置」に相当する。
　そうすると、両者は、
「交流電圧を直流電圧に変換する整流回路と、
　前記整流回路の直流出力端子間に接続され、負荷出力端子間に出力平滑コンデンサを有し、光源に直流電流を供給する変換回路と、
　前記変換回路を駆動制御する制御回路と、
　を備え、
　前記制御回路は、制御電源回路から前記制御回路の駆動用電力の供給を受けて動作する、
点灯装置。」
である点で一致し、次の点で相違する。
［相違点１］
　本件発明１は、「光源に直流電流が供給される間、制御電源回路は、少なくとも交流電圧のゼロクロス付近において、出力平滑コンデンサから電力の供給を受けて、制御回路の駆動用電力を生成し、整流回路の直流出力から制御電源回路へと至る電力経路と、出力平滑コンデンサから制御電源回路へと至る電力経路と、のうち何れかの経路を選択して制御電源回路に電力供給を行う選択回路をさらに備える」ものであるのに対して、引用発明１は、「電源投入時には整流回路ＤＢ１の整流出力ノードＮｄｂ１の電力をダイオードＤｖｃｃ１および抵抗Ｒｖｃｃ１を介して容量Ｃｖｃｃに蓄えることで電源電圧ＶＣＣを生成し、電源安定時には正極出力ノードＶｏｕｔ（＋）の電力をダイオードＤｖｃｃ２および抵抗Ｒｖｃｃ２を介して容量Ｃｖｃｃに蓄えることで電源電圧ＶＣＣを生成する電源生成回路ＶＣＣＧＥＮを備える」ものである点。
　上記相違点１について以下検討する。
（ア）
　引用発明１の「電源安定時には正極出力ノードＶｏｕｔ（＋）の電力をダイオードＤｖｃｃ２および抵抗Ｒｖｃｃ２を介して容量Ｃｖｃｃに蓄えることで電源電圧ＶＣＣを生成する」との事項に関して、刊行物１の【図３７】を参照すると、正極出力ノードＶｏｕｔ（＋）から、ダイオードＤｖｃｃ２、抵抗Ｒｖｃｃ２を介して容量Ｃｖｃｃを充電し、基準電位ＧＮＤに達する経路は、同図下方の基準電位ＧＮＤからインダクタＬ１を介して正極出力ノードＶｏｕｔ（＋）に至る閉回路により、充電経路を形成しているといえる。
　そうすると、引用発明１においては、電源安定時における容量Ｃｖｃｃの充電は、インダクタＬ１に発生する起電力によるものであり、出力容量Ｃｏｕｔによるものとはいえない。
　そうしてみると、上記相違点１に係る本件発明１の構成における「出力平滑コンデンサから電力の供給を受けて、制御回路の駆動用電力を生成」するとの事項を、引用発明１は有しておらず、また、引用発明１から当業者が容易に想到しうるともいえない。
（イ）
　引用発明１においては、ＰＦＣ回路ＰＩＣ１１の動作電源となる容量Ｃｖｃｃへの充電に関して、整流回路ＤＢ１の整流出力ノードＮｄｂ１からダイオードＤｖｃｃ１、抵抗Ｒｖｃｃ１を介する経路と、正極出力ノードＶｏｕｔ（＋）からダイオードＤｖｃｃ２、抵抗Ｒｖｃｃ２を介する経路とがある。
　引用発明１の上記の回路構成によれば、整流回路ＤＢ１の整流出力ノードＮｄｂ１と容量Ｃｖｃｃとの間に電位差が発生すれば、ダイオードＤｖｃｃ１、抵抗Ｒｖｃｃ１を介して充電する経路が生じ、同様に、正極出力ノードＶｏｕｔ（＋）と容量Ｃｖｃｃとの間に電位差が発生すれば、ダイオードＤｖｃｃ２、抵抗Ｒｖｃｃ２を介して充電する経路が生じることとなる。
　引用発明１においては、整流回路ＤＢ１の整流出力ノードＮｄｂ１の電位は、商用電源（ＡＣ）を全波整流したものであるので、周期的に容量Ｃｖｃｃの電位より高くなるので、整流回路ＤＢ１の整流出力ノードＮｄｂ１の電位と正極出力ノードＶｏｕｔ（＋）の電位のどちらもが、容量Ｃｖｃｃの電位より高くなることはありうることであり、その場合には、どちらからも充電経路が生じることとなり、もはやどちらかの充電経路が選択されるものとはいえない。
　そうしてみると、相違点１に係る本件発明１の構成における、複数の充電経路「のうち何れかの経路を選択して制御電源回路に電力供給を行う選択回路」との事項を、引用発明１は有しておらず、また、引用発明１から当業者が容易に想到しうるともいえない。
（ウ）
　そうすると、相違点１は実質的な相違点であり、よって、本件発明１は、引用発明１（刊行物１に記載された発明）であるとはいえない。
イ　本件発明２〜４について
（ア）
　本件発明２〜４は本件発明１を引用する発明であり、本件発明１のすべての事項を有するものである。
　本件発明２〜４と引用発明１とを対比すると、両者は、少なくとも上記アで挙げた〔相違点１〕で相違するといえる。
　そして、上記ア（ア）〜（ウ）で検討したとおり、相違点１は実質的な相違点である。
（イ）
　本件発明２は、相違点１で引用発明１と相違するので、引用発明１（刊行物１に記載された発明）であるとはいえない。
（ウ）
　また、取消理由１−２で引用する刊行物７は、変換回路としてＳＥＰＩＣ回路を例示するに留まり、取消理由１-３で引用する刊行物１は、変換回路としてフライバックコンバータ回路を例示するに留まり、相違点１に係る本件発明３、４の構成の容易想到性を示唆するものではない。
　よって、引用発明１を、相違点１に係る本件発明３、４の構成とすることは、刊行物７及び１の記載事項から当業者が容易に想到し得たとはいえない。
ウ　本件発明５について
　本件発明５は、本件発明１の「点灯装置」のすべてを含む「照明器具」の発明である。
　本件発明５と引用発明１とを対比すると、両者は、少なくとも上記アで挙げた〔相違点１〕で相違するといえる。
　そして、上記ア（ア）〜（ウ）で検討したとおり、相違点１は実質的な相違点である。
　よって、本件発明５は、本件発明１と同様に、引用発明１（刊行物１に記載された発明）であるとはいえない。
エ　まとめ
　以上のとおりであるので、取消理由１−１〜１−３によっては、本件発明１〜５に係る特許を取り消すことができない。
（２）取消理由２について
ア　本件発明１について
　本件発明１と引用発明２とを対比する。
　後者の「入力ＡＣ電圧１０１を直流電圧に変換する整流器１１１」は、前者の「交流電圧を直流電圧に変換する整流回路」に相当する。
　後者の「キャパシタ１０５」、「ＬＥＤ１０６」は、前者の「出力平滑コンデンサ」、「光源」にそれぞれ相当し、後者の「整流器１１１の出力端子間に接続され、電力スイッチ１０２、インダクタ１０３、ダイオード１０７、キャパシタ１０５などからなる変換回路であり、変換回路の出力端子間にキャパシタ１０５が接続され、ＬＥＤ１０６に直流電流を供給する変換回路」は、前者の「整流回路の直流出力端子間に接続され、負荷出力端子間に出力平滑コンデンサを有し、光源に直流電流を供給する変換回路」に相当する。
　後者の「変換回路の電力スイッチ１０２を駆動制御するコントローラ５００」は、電力スイッチ１０２を制御することにより変換回路を制御しているので、前者の「変換回路を駆動制御する制御回路」に相当する。
　後者の「Ｖｃｃキヤパシタ１３４」は、その電圧がコントローラ５００の駆動用電力となり供給するものであるので、前者の「制御電源回路」に相当し、後者の「コントローラ５００は、Ｖｃｃキヤパシタ１３４から駆動用電力の供給を受けて動作」することは、前者の「制御回路は、制御電源回路から制御回路の駆動用電力の供給を受けて動作」することに相当する。
　後者の「電流レギュレータ／コンバータ４５０」は、ＬＥＤ１０６を点灯させるためのものであるので、前者の「点灯装置」に相当する。
　そうすると、両者は、
「交流電圧を直流電圧に変換する整流回路と、
　前記整流回路の直流出力端子間に接続され、負荷出力端子間に出力平滑コンデンサを有し、光源に直流電流を供給する変換回路と、
　前記変換回路を駆動制御する制御回路と、
　を備え、
　前記制御回路は、制御電源回路から前記制御回路の駆動用電力の供給を受けて動作する、
点灯装置。」
である点で一致し、次の点で相違する。
［相違点２］
　本件発明１は、「光源に直流電流が供給される間、制御電源回路は、少なくとも交流電圧のゼロクロス付近において、出力平滑コンデンサから電力の供給を受けて、制御回路の駆動用電力を生成し、整流回路の直流出力から制御電源回路へと至る電力経路と、出力平滑コンデンサから制御電源回路へと至る電力経路と、のうち何れかの経路を選択して制御電源回路に電力供給を行う選択回路をさらに備える」ものであるのに対して、引用発明２は、「入力ＡＣ電圧１０１が印加されると、Ｖｃｃキャパシタ１３４は、整流器１１１の陽極ポートから抵抗器１３５を介して充電され、コントラーラ５００がオンになり、キャパシタ１０５に蓄積される電圧が十分に高くなると、キャパシタ１０５から整流器ダイオード１３９を介して電源電圧Ｖｃｃを供給する」ものである点。
　上記相違点２について以下検討する。
（ア）
　引用発明２は、「入力ＡＣ電圧１０１が印加されると、Ｖｃｃキャパシタ１３４は、整流器１１１の陽極ポートから抵抗器１３５を介して充電され、コントラーラ５００がオンになり、キャパシタ１０５に蓄積される電圧が十分に高くなると、キャパシタ１０５から整流器ダイオード１３９を介して電源電圧Ｖｃｃを供給する」との事項を有する。
　当該事項によれば、電流レギュレータ／コンバータ４５０の始動時、入力ＡＣ電圧１０１が印加された際には、整流器１１１の陽極ポートから抵抗器１３５を介してＶｃｃキャパシタ１３４に充電し、コントローラ５００の電源電圧Ｖｃｃを供給し、コントローラ５００を起動するものである。また、コントローラ５００の起動後、オンになった状態では、変換回路を動作させることにより、キャパシタ１０５に電荷を蓄積させ、その電圧が十分に高くなった際には、キャパシタ１０５から整流器ダイオード１３９を介してＶｃｃキャパシタ１３４に充電し電源電圧Ｖｃｃを供給するものであるが、その回路構成からみて、整流器１１１の陽極ポートとＶｃｃキャパシタ１３４との間（すなわち抵抗１３５の両端間）に電位差が発生すれば、整流器１１１の陽極ポートから抵抗器１３５を介してＶｃｃキャパシタ１３４への充電が行われるといえる。
　引用発明２は、少なくとも、相違点１に係る本件発明１の構成における、複数の充電経路「のうち何れかの経路を選択して制御電源回路に電力供給を行う選択回路」との事項を有していないといえる。
（イ）
　刊行物５には、その段落【０００７】〜【００１１】及び【図１】〜【図２】、【図４】の記載からみて、
「点灯装置における制御部５の電源入力端に接続されたコンデンサＣ０、バッテリ１とダイオードＤ１を介して並列接続されるとともに、コンデンサＣ２とダイオードＤ２を介して並列接続されることで、コンデンサＣ２に得られる電源電圧Ｖ２がバッテリ１から得られる電源電圧Ｖ１よりも低い時（Ｖ１＞Ｖ２）は、ダイオードＤ１がＯＮ、ダイオードＤ２がＯＦＦとなり、コンデンサＣ０は電源電圧Ｖ１から充電され、バッテリ１から得られる電源電圧Ｖ１がコンデンサＣ２に得られる電源電圧Ｖ２よりも低い時（Ｖ１＜Ｖ２）は、ダイオードＤ1がＯＦＦ、ダイオードＤ2がＯＮとなり、コンデンサＣ0の電圧Ｖ0はコンデンサＣ2から充電されること。」
が記載されているといえる。
　刊行物６にも、その段落【０００７】〜【０００８】、【００１１】〜【００１３】及び【図１】〜【図２】、【図７】の記載からみて、刊行物５の上記の事項と同様の事項が記載されているといえる。
　そうすると、刊行物５、６には、「２つの電源からそれぞれダイオードを介して制御部の電源に充電する２つの充電経路を形成することで、２つの電源のうちの電圧が高い方の充電経路を選択して制御部に電力供給を行う選択回路」が記載されているといえる。
（ウ）
　引用発明２への刊行物５、６に記載の「選択回路」の適用について検討する。
　引用発明２において、整流器１１１の陽極ポートからＶｃｃキャパシタ１３４に至る経路中の抵抗器１３５は、コントラーラ５００を起動する際にＶｃｃキャパシタ１３４を充電するための必須の抵抗器といえる。
　そうすると、引用発明２の抵抗器１３５を取り除いて、他の技術的事項を適用することは困難であるといえる。
　そして、引用発明２に、刊行物５、６に記載の「選択回路」の回路構成、すなわち「２つの電源からそれぞれダイオードを介して制御部の電源に充電する２つの充電経路を形成」する回路構成を適用し、整流器１１１の陽極ポートからＶｃｃキャパシタ１３４に至る経路中にダイオードを介在させたとしても、依然として抵抗器１３５は存在することとなり、その際の回路動作は、上記（ア）で述べたと同様に、キャパシタ１０５から整流器ダイオード１３９を介してＶｃｃキャパシタ１３４に充電する時も、整流器１１１の陽極ポートとＶｃｃキャパシタ１３４との間に電位差が発生すれば、整流器１１１の陽極ポートから抵抗器１３５を介してＶｃｃキャパシタ１３４への充電が行われ、選択回路としての機能を奏さないといえる。
　そうしてみると、引用発明２を、相違点２に係る本件発明１の構成とすることは、刊行物５、６の記載事項から当業者が容易に想到し得たとはいえない。
イ　本件発明２について
　本件発明２は本件発明１を引用する発明であり、本件発明１のすべての事項を有するものである。
　本件発明２と引用発明２とを対比すると、両者は、少なくとも上記アで挙げた〔相違点２〕で相違するといえる。
　そして、上記ア（ア）〜（ウ）で検討したとおり、引用発明２を、相違点２に係る本件発明２の構成とすることは、刊行物５、６の記載事項から当業者が容易に想到し得たとはいえない。
ウ　本件発明５について
　本件発明５は、本件発明１の「点灯装置」のすべてを含む「照明器具」の発明である。
　本件発明５と引用発明２とを対比すると、両者は、少なくとも上記アで挙げた〔相違点２〕で相違するといえる。
　そして、上記ア（ア）〜（ウ）で検討したとおり、引用発明２を、相違点２に係る本件発明５の構成とすることは、刊行物５、６の記載事項から当業者が容易に想到し得たとはいえない。
エ　まとめ
　以上のとおりであるので、取消理由２によっては、本件発明１、２、５に係る特許を取り消すことができない。
（３）取消理由３について
ア　本件発明１について
　本件発明１と引用発明３とを対比する。
　後者の「交流電圧を直流電圧に変換する整流器ＢＲ１」は、前者の「交流電圧を直流電圧に変換する整流回路」に相当する。
　後者の「コンデンサＣ８」、「ＬＥＤ」は、前者の「出力平滑コンデンサ」、「光源」にそれぞれ相当し、後者の「整流器ＢＲ１の出力端子間に接続され、スイッチング・ＦＥＴＱ１、トランスＴ１、ダイオードＤ３、コンデンサＣ８などからなる変換回路であり、変換回路の出力端子間にコンデンサＣ８が接続され、ＬＥＤに直流電流を供給する変換回路」は、前者の「整流回路の直流出力端子間に接続され、負荷出力端子間に出力平滑コンデンサを有し、光源に直流電流を供給する変換回路」に相当する。
　後者の「変換回路のスイッチング・ＦＥＴＱ１を駆動制御する制御回路Ｕ１」は、スイッチング・ＦＥＴＱ１を制御することにより変換回路を制御しているので、前者の「変換回路を駆動制御する制御回路」に相当する。
　後者の「コンデンサＣ５」は、その電圧が制御回路Ｕ１の駆動用電力となり供給するものであるので、前者の「制御電源回路」に相当し、後者の「制御回路Ｕ１は、コンデンサＣ５から制御回路Ｕ１の駆動用電力の供給を受けて動作」することは、前者の「制御回路は、制御電源回路から制御回路の駆動用電力の供給を受けて動作」することに相当する。
　後者の「回路１００」は、ＬＥＤを点灯させるためのものであるので、前者の「点灯装置」に相当する。
　そうすると、両者は、
「交流電圧を直流電圧に変換する整流回路と、
　前記整流回路の直流出力端子間に接続され、負荷出力端子間に出力平滑コンデンサを有し、光源に直流電流を供給する変換回路と、
　前記変換回路を駆動制御する制御回路と、
　を備え、
　前記制御回路は、制御電源回路から前記制御回路の駆動用電力の供給を受けて動作する、
点灯装置。」
である点で一致し、次の点で相違する。
［相違点３］
　本件発明１は、「光源に直流電流が供給される間、制御電源回路は、少なくとも交流電圧のゼロクロス付近において、出力平滑コンデンサから電力の供給を受けて、制御回路の駆動用電力を生成し、整流回路の直流出力から制御電源回路へと至る電力経路と、出力平滑コンデンサから制御電源回路へと至る電力経路と、のうち何れかの経路を選択して制御電源回路に電力供給を行う選択回路をさらに備える」ものであるのに対して、引用発明３は、「コンデンサＣ５は、整流器ＢＲ１の出力端子から抵抗Ｒ４を介して充電される経路と、コンデンサＣ８から抵抗Ｒ９、ダイオードＤ４を経由して充電される経路とを備えた」ものである点。
　上記相違点３について以下検討する。
（ア）
　引用発明３の「整流器ＢＲ１の出力端子から抵抗Ｒ４を介して充電される経路」は、その回路構成からみて、回路１００の始動時に、制御回路Ｕ１の起動を行うためにコンデンサＣ５の充電を行うものと認められる。そしてその充電経路の抵抗Ｒ４は、整流器ＢＲ１から充電を行うための必須の抵抗と認められる。また、コンデンサＣ５は、コンデンサＣ８から抵抗Ｒ９、ダイオードＤ４を経由して充電される経路を備えており、制御回路Ｕ１の起動後、変換回路が動作し、コンデンサＣ８に十分な充電が行われた際に、コンデンサＣ８から充電されるものと認められるが、その回路構成からみて、整流器ＢＲ１の出力端子とコンデンサＣ５との間に電位差が発生すれば、整流器ＢＲ１の出力端子から抵抗Ｒ４を介してコンデンサＣ５への充電が行われるといえる。
　引用発明３は、少なくとも、相違点３に係る本件発明１の構成における、複数の充電経路「のうち何れかの経路を選択して制御電源回路に電力供給を行う選択回路」との事項を有していないといえる。
（イ）
　刊行物５、６には、上記（２）ア（イ）で述べたとおりの事項が記載されているといえる。
（ウ）
　引用発明３への刊行物５、６に記載の「選択回路」の適用について検討する。
　引用発明３において、整流器ＢＲ１の出力端子からコンデンサＣ５に至る経路中の抵抗Ｒ４は、上記（ア）で述べたとおり、コンデンサＣ５を充電するための必須の抵抗といえる。
　そうすると、引用発明３の抵抗Ｒ４を取り除いて、他の技術的事項を適用することは困難であるといえる。
　そして、引用発明３に、刊行物５、６に記載の「選択回路」の回路構成、すなわち「２つの電源からそれぞれダイオードを介して制御部の電源に充電する２つの充電経路を形成」する回路構成を適用し、整流器ＢＲ１の出力端子からコンデンサＣ５に至る経路中にダイオードを介在させたとしても、依然として抵抗Ｒ４は存在することとなり、その際の回路動作は、上記（ア）で述べたと同様に、コンデンサＣ８からダイオードＤ４を介してコンデンサＣ５に充電する時も、整流器ＢＲ１の出力端子とコンデンサＣ５との間に電位差が発生すれば、整流器ＢＲ１の出力端子から抵抗Ｒ４を介してコンデンサＣ５への充電が行われ、選択回路としての機能を奏さないといえる。
　そうしてみると、引用発明３を、相違点３に係る本件発明１の構成とすることは、刊行物５、６の記載事項から当業者が容易に想到し得たとはいえない。
イ　本件発明２、４について
　本件発明２、４は本件発明１を引用する発明であり、本件発明１のすべての事項を有するものである。
　本件発明２、４と引用発明３とを対比すると、両者は、少なくとも上記アで挙げた〔相違点３〕で相違するといえる。
　そして、上記ア（ア）〜（ウ）で検討したとおり、引用発明３を、相違点３に係る本件発明２、４の構成とすることは、刊行物５、６の記載事項から当業者が容易に想到し得たとはいえない。
ウ　本件発明５について
　本件発明５は、本件発明１の「点灯装置」のすべてを含む「照明器具」の発明である。
　本件発明５と引用発明３とを対比すると、両者は、少なくとも上記アで挙げた〔相違点３〕で相違するといえる。
　そして、上記ア（ア）〜（ウ）で検討したとおり、引用発明３を、相違点３に係る本件発明５の構成とすることは、刊行物５、６の記載事項から当業者が容易に想到し得たとはいえない。
エ　まとめ
　以上のとおりであるので、取消理由３によっては、本件発明１、２、４、５に係る特許を取り消すことができない。
（３）取消理由４について
ア　本件発明１について
　本件発明１と引用発明４とを対比する。
　後者の「交流電圧を直流電圧に変換する整流器１２４」は、前者の「交流電圧を直流電圧に変換する整流回路」に相当する。
　後者の「コンデンサ」、「ＬＥＤ１１８」は、前者の「出力平滑コンデンサ」、「光源」にそれぞれ相当し、後者の「整流器１２４の出力端子間に接続され、スイッチ２０８、インダクタ２１０、コンデンサなどからなる変換回路であり、変換回路の出力端子間にコンデンサが接続され、ＬＥＤ１１８に直流電流を供給する変換回路」は、前者の「整流回路の直流出力端子間に接続され、負荷出力端子間に出力平滑コンデンサを有し、光源に直流電流を供給する変換回路」に相当する。
　後者の「変換回路を制御する電圧変換コントローラ２０４」は、前者の「変換回路を駆動制御する制御回路」に相当する。
　後者の電圧変換コントローラ２０４のＶＣＣ端子に接続された「コンデンサ」は、その電圧が制御回路Ｕ１の駆動用電力となり供給するものであるので、前者の「制御電源回路」に相当し、後者の「電圧変換コントローラ２０４は、そのＶＣＣ端子に接続されたコンデンサから駆動用電力の供給を受けて動作」することは、前者の「制御回路は、制御電源回路から制御回路の駆動用電力の供給を受けて動作」することに相当する。
　後者の「回路」は、ＬＥＤを点灯させるためのものであるので、前者の「点灯装置」に相当する。
　そうすると、両者は、
「交流電圧を直流電圧に変換する整流回路と、
　前記整流回路の直流出力端子間に接続され、負荷出力端子間に出力平滑コンデンサを有し、光源に直流電流を供給する変換回路と、
　前記変換回路を駆動制御する制御回路と、
　を備え、
　前記制御回路は、制御電源回路から前記制御回路の駆動用電力の供給を受けて動作する、
点灯装置。」
である点で一致し、次の点で相違する。
［相違点４］
　本件発明１は、「光源に直流電流が供給される間、制御電源回路は、少なくとも交流電圧のゼロクロス付近において、出力平滑コンデンサから電力の供給を受けて、制御回路の駆動用電力を生成し、整流回路の直流出力から制御電源回路へと至る電力経路と、出力平滑コンデンサから制御電源回路へと至る電力経路と、のうち何れかの経路を選択して制御電源回路に電力供給を行う選択回路をさらに備える」ものであるのに対して、引用発明４は、「ＶＣＣ端子に接続されたコンデンサは、整流器１２４の出力端から抵抗を介して充電される経路と、変換回路の出力端子間に接続されたコンデンサから抵抗とダイオードを介して充電される経路とを備えた」ものである点。
　上記相違点４について以下検討する。
（ア）
　引用発明４の「整流器１２４の出力端から抵抗を介して充電される経路」は、その回路構成からみて、回路の始動時に、電圧変換コントローラ２０４の起動を行うために、そのＶＣＣ端子に接続されたコンデンサの充電を行うものと認められる。そしてその充電経路の抵抗は、整流器１２４から充電を行うための必須の抵抗と認められる。また、ＶＣＣ端子に接続されたコンデンサは、変換回路の出力端子間に接続されたコンデンサから抵抗、ダイオードを介して充電される経路を備えており、電圧変換コントローラ２０４の起動後、変換回路が動作し、その出力端子間のコンデンサに十分な充電が行われた際に、そのコンデンサから充電されるものと認められるが、その回路構成からみて、整流器１２４の出力端とＶＣＣ端子に接続されたコンデンサとの間に電位差が発生すれば、整流器１２４の出力端子から抵抗を介してＶＣＣ端子に接続されたコンデンサへの充電が行われるといえる。
　引用発明４は、少なくとも、相違点４に係る本件発明１の構成における、複数の充電経路「のうち何れかの経路を選択して制御電源回路に電力供給を行う選択回路」との事項を有していないといえる。
（イ）
　刊行物５、６には、上記（２）ア（イ）で述べたとおりの事項が記載されているといえる。
（ウ）
　引用発明４への刊行物５、６に記載の「選択回路」の適用について検討する。
　引用発明４において、整流器１２４の出力端からＶＣＣ端子に接続されたコンデンサに至る経路中の抵抗は、上記（ア）で述べたとおり、コンデンサを充電するための必須の抵抗といえる。
　そうすると、引用発明４の上記抵抗を取り除いて、他の技術的事項を適用することは困難であるといえる。
　そして、引用発明４に、刊行物５、６に記載の「選択回路」の回路構成、すなわち「２つの電源からそれぞれダイオードを介して制御部の電源に充電する２つの充電経路を形成」する回路構成を適用し、整流器１２４の出力端からＶＣＣ端子に接続されたコンデンサに至る経路中にダイオードを介在させたとしても、依然として抵抗は存在することとなり、その際の回路動作は、上記（ア）で述べたと同様に、変換回路の出力端子間に接続したコンデンサからダイオードを介してＶＣＣ端子に接続されたコンデンサに充電する時も、整流器１２４の出力端とＶＣＣ端子に接続されたコンデンサとの間に電位差が発生すれば、整流器１２４の出力端から抵抗を介してＶＣＣ端子に接続されたコンデンサへの充電が行われ、選択回路としての機能を奏さないといえる。
　そうしてみると、引用発明４を、相違点４に係る本件発明１の構成とすることは、刊行物５、６の記載事項から当業者が容易に想到し得たとはいえない。
イ　本件発明２について
　本件発明２は本件発明１を引用する発明であり、本件発明１のすべての事項を有するものである。
　本件発明２と引用発明４とを対比すると、両者は、少なくとも上記アで挙げた〔相違点４〕で相違するといえる。
　そして、上記ア（ア）〜（ウ）で検討したとおり、引用発明４を、相違点４に係る本件発明２の構成とすることは、刊行物５、６の記載事項から当業者が容易に想到し得たとはいえない。
ウ　本件発明５について
　本件発明５は、本件発明１の「点灯装置」のすべてを含む「照明器具」の発明である。
　本件発明５と引用発明４とを対比すると、両者は、少なくとも上記アで挙げた〔相違点４〕で相違するといえる。
　そして、上記ア（ア）〜（ウ）で検討したとおり、引用発明４を、相違点４に係る本件発明５の構成とすることは、刊行物５、６の記載事項から当業者が容易に想到し得たとはいえない。
エ　まとめ
　以上のとおりであるので、取消理由４によっては、本件発明１、２、５に係る特許を取り消すことができない。
６．むすび
　したがって、上記取消理由１−１〜１−３、２〜４によっては、請求項１〜５に係る特許を取り消すことができない。
　また、他に請求項１〜５に係る特許を取り消すべき理由を発見しない。
　よって、結論のとおり決定する。
【異議決定日】
平成２８年７月２９日（２０１６．７．２９）